(57)【要約】【課題】操作系を追加することなく通常使用時とタイマ予約設定時とで別個の照明動作を行えるリモコンを提供する。【解決手段】このリモコン１は、照明器具本体２の照明状態を順に切り替えるための第１のボタン（順送りボタン３０等）と、これら第１のボタンが操作された際に照明状態を所定の順序で切り替えるための第１の信号（赤外線信号Ａ〜Ｄ）を発信する赤外線送信部１６と、照明器具本体２に対して照明の点消灯を予め予約した時刻に行わせるためのタイマ設定を行う予約手段（予約１ボタン２４等）と、タイマ設定が行われているときに第１のボタンが操作された場合、第１の信号とは異なる第２の信号（赤外線信号ａ〜ｄ）を赤外線送信部１６から発信させるＣＰＵ１１とを具備する。【選択図】      図２
2004265723.tif 000002
【特許請求の範囲】
【請求項１】
照明器具本体の照明状態を順に切り替えるための第１のボタンと；
前記第１のボタンが操作された際に照明状態を所定の順序で切り替えるための第１の信号を発信する手段と；
前記照明器具本体に対して照明の点消灯を予め予約した時刻に行わせるためのタイマ設定を行う予約手段と；
前記予約手段によりタイマ設定が行われているときに前記第１のボタンが操作された場合、前記第１の信号とは異なる第２の信号を発信する手段と；
を具備したことを特徴とする遠隔制御装置。
【請求項２】
請求項１記載の遠隔制御装置と；
前記遠隔制御装置より受信された信号に応じた点消灯動作及びタイマ動作を行う照明器具本体と；
を具備したことを特徴とする遠隔制御式照明器具。
【発明の詳細な説明】
【０００１】
【発明の属する技術分野】
本発明は、例えば遠隔制御装置、遠隔制御式照明器具に関する。
【０００２】
【従来の技術】
照明器具には色温度の違う光源を用いるものがあり（例えば特許文献１参照）、これはリモコン制御によって様々な演色効果を有するものである。
【０００３】
また、近年、照明器具をリモコンのタイマ制御でＯＮ／ＯＦＦする技術も知られており（例えば特許文献２参照）、種々の照明器具にタイマ機能を用いることが検討されている。
【０００４】
【特許文献１】
特開平１１−１９１４９５号公報
【特許文献２】
特開２００２−７８０３５号公報
【０００５】
【発明が解決しようとする課題】
しかしながら、先の照明器具に単純にタイマ機能を組合わせたとしても、利用者の利用方法によっては、タイマのＯＮ時に所望の状態で点灯しないことがある。
【０００６】
例えば「全灯」、「調光」、「常夜灯」、「消灯」などといった順で照明状態を順に変えるための順送りボタンを備えたリモコンでは、タイマ予約設定後、予約時刻になると、リモコンは、タイマ動作を開始して順送りボタンを押した状態と同じ信号を送信するため、照明器具は、現在の点灯状態から次の点灯状態に移る動作を行う。
ここで、利用者が、例えば就寝時などに順送りボタンで「消灯」にして就寝した場合、予約時刻になると、タイマ動作でリモコンが照明器具へ赤外線信号を送信する。赤外線信号を受信した照明器具は、「消灯」の次の照明状態である「全灯」で照明動作するため、利用者は、照明が点いた状態で起きることができる。
【０００７】
一方、利用者が就寝時に順送りボタンで「常夜灯」にして就寝した場合、予約時刻になると、上記同様にリモコンから照明器具へ赤外線信号が送信されるので、照明器具は、「常夜灯」の次の照明状態である「消灯」で照明動作するため、予約時刻に照明が消えてしまい、上記とまったく逆の結果になる。
【０００８】
そこで、タイマ設定用として専用のスイッチをリモコン自体に設けることが考えられるが、上記「全灯」、「調光」、「常夜灯」、「消灯」などの４つの状態がある照明器具ではタイマ設定用として少なくとも４つのスイッチ（ボタン）を追加する必要があることから、コストが増加すると共にリモコン自体の大形化をまねくという問題があった。また、今後、照明器具に新たな機能が追加されることもあり、さらにスイッチ（ボタン）などの操作系が必要になることが予想される。
【０００９】
本発明はこのような課題を解決するためになされたもので、遠隔制御装置の操作系を追加することなく通常使用時とタイマ予約設定時とで別個の照明動作を照明器具本体に行わせることのできる遠隔制御装置、遠隔制御式照明器具を提供することを目的としている。
【００１０】
【課題を解決するための手段】
上記した目的を達成するために、本発明の遠隔制御装置は、照明器具本体の照明状態を順に切り替えるための第１のボタンと；前記第１のボタンが操作された際に照明状態を所定の順序で切り替えるための第１の信号を発信する手段と；前記照明器具本体に対して照明の点消灯を予め予約した時刻に行わせるためのタイマ設定を行う予約手段と；前記予約手段によりタイマ設定が行われているときに前記第１のボタンが操作された場合、前記第１の信号とは異なる第２の信号を発信する手段と；を具備したことを特徴としている。
【００１１】
本発明の遠隔制御式照明装置は、請求項１記載の遠隔制御装置と；前記遠隔制御装置より受信された信号に応じた点消灯動作及びタイマ動作を行う照明器具本体と；を具備したことを特徴としている。
【００１２】
本発明では、タイマ設定が行われているときと通常操作時とで、同じ第１のボタンが操作された場合に、異なる信号（第１の信号あるいは第２の信号）を発信するので、遠隔制御装置の操作系を追加することなく通常使用時とタイマ予約設定時とで別個の照明動作を照明器具本体に行わせることができる。
【００１３】
【発明の実施の形態】
以下、本発明の実施の形態を図面を参照して詳細に説明する。
図１は本発明に係る遠隔制御装置、遠隔制御式照明器具の一つの実施形態のリモコン式照明器具の構成を示す図である。
【００１４】
図１に示すように、この実施形態のリモコン式照明器具は、照明器具本体２と、この照明器具本体２に取り付けられた橙色灯３、白色灯４，５、常夜灯６および点灯装置７と、この点灯装置７に設けられた受光部８と、この受光部８へ赤外線の信号を送信する遠隔制御装置であるリモコン１とから構成されている。
【００１５】
橙色灯３は橙色に点灯するリング状の蛍光灯であり、照明器具本体２の外形に一番近い位置、つまり外側に取り付けられている。白色灯４は白色に点灯するリング状の蛍光灯であり、照明器具本体２の中間位置に取り付けられている。白色灯５は白色に点灯するリング状の蛍光灯であり、照明器具本体２の最も内側の位置に取り付けられている。白色灯４，５は同時に点消灯、調光される。つまり、この照明器具本体２には、利用者が所望に応じて橙色照明と白色照明を使い分ける、いわゆる演色機能が備えられている。
【００１６】
図２に示すように、リモコン１は、リモコン本体１０と、このリモコン本体１０に設けられた表示部１４および操作部１７と、リモコン本体１０の先頭部分に設けられた赤外線送信部の一部としての複数のＬＥＤ１６ａとを有している。表示部１４は、液晶表示パネルであり、タイマ表示、おやすみマーク表示、電池残量表示、設定内容表示、毎日表示、１回表示、点灯・消灯状態表示、時計表示等を行う。
操作部１７には、時ボタン２１、分ボタン２２、毎日／１回ボタン２３、予約１ボタン２４、予約２ボタン２５、登録ボタン２６、解除ボタン２７、順送りボタン３０、外側調光ボタン３１、内側調光ボタン３２、全消灯ボタン３３、３０分ボタン３４、６０分ボタン３５などの１３個のボタンが備えられている。
時ボタン２１は、時刻表示（時）を進ませるボタンである。分ボタン２２は、時刻表示（分）を進ませるボタンである。毎日／１回ボタン２３は、タイマセット操作に使用するボタンである。予約１ボタン２４は、タイマセット操作に使用するボタンである。予約２ボタン２５は、タイマセット操作に使用するボタンである。、登録ボタン２６は、タイマセット操作に使用するボタンである。解除ボタン２７は、タイマセットを取り消すのに使用するボタンである。３０分ボタン３４は、照明器具を３０分後に消灯させるためのボタンである。６０分ボタン３５は照明器具を６０分後に消灯させるためのボタンである。順送りボタン３０、外側調光ボタン３１、内側調光ボタン３２、全消灯ボタン３３については後で詳細に説明する。
【００１７】
図３に示すように、リモコン１は、ＣＰＵ１１、メモリ１２、時計部１３、表示部１４、赤外線送信部１６、操作部１７を有している。メモリ１２には各部を制御するプログラムが格納されている。またメモリ１２には、タイマセット操作によるタイマ予約設定情報、時計部１３により計時された時刻情報等が記憶される。ＣＰＵ１１は、メモリ１２のプログラムを読み込んで各部を制御する。例えばＣＰＵ１１は、通常操作時とタイマ予約設定時とで同じボタンの操作でも異なるリモコン信号を送信するよう赤外線送信部１６を制御する。また、ＣＰＵ１１は、通常操作時には、リモコン信号の送信時に照明の点灯状態を表す表示（全光、内側調光、外側調光、消灯）を点滅させ、タイマ予約設定時には照明の点灯状態を表す表示（全光、内側調光、外側調光、消灯）を点灯させる。
時計部１３は、時計として時刻を計時する機能を有している。表示部１４は、ＣＰＵ１１により制御されて時計表示、タイマ設定内容の表示などを行う。操作部１７は、利用者に操作された各ボタンの情報をＣＰＵ１１に送る。赤外線送信部１６は、ＣＰＵ１１により制御されてさまざまな赤外線信号を発光する。
【００１８】
すなわち、このリモコン１は、照明器具本体２の照明状態を順に切り替えるための第１のボタン（順送りボタン３０、外側調光ボタン３１、内側調光ボタン３２、全消灯ボタン３３等）と、通常操作時に、これら第１のボタンが操作された際に照明状態を所定の順序で切り替えるための第１の信号（赤外線信号Ａ〜Ｄ）を発信する赤外線送信部１６と、照明器具本体２に対して照明の点消灯を予め予約した時刻に行わせるためのタイマ設定を行う予約手段（時ボタン２１、分ボタン２２、毎日／１回ボタン２３、予約１ボタン２４、予約２ボタン２５、登録ボタン２６、解除ボタン２７、３０分ボタン３４、６０分ボタン３５等）と、タイマ設定が行われているときに第１のボタンが操作された場合、第１の信号とは異なる第２の信号（赤外線信号ａ〜ｄ）を赤外線送信部１６から発信させるＣＰＵ１１とを備える。
【００１９】
以下、図４，図５を参照してこのリモコン式照明器具の動作を説明する。
まず、図４を参照して順送りボタン３０、外側調光ボタン３１、内側調光ボタン３２、全消灯ボタン３３の操作で送信される赤外線信号Ａ〜Ｄと各赤外線信号Ａ〜Ｄを受光部８で受光したときの照明器具本体２の照明動作について説明する。
タイマ予約等がなされていない通常のリモコン操作状態において、図４に示すように、リモコン１の例えば順送りボタン３０が利用者によって１回操作されると、ＣＰＵ１１は、予約ボタン操作なしと判定して（図５のステップ１０１）、通常操作のモードで（Ｓ１０２）、赤外線送信部１６から通常信号（赤外線の順送り信号Ａ）を発光（以降発信と称す）する（Ｓ１０３）。
照明器具本体２の受光部８で、順送り信号Ａを受光（以降受信と称す）すると、点灯装置７は、外側の橙色灯３、内側２つの白色灯４，５を全て点灯させた「全点灯」の状態Ａ１とする。
続いて順送りボタン３０が１回操作されると、ＣＰＵ１１は、赤外線送信部１６から順送り信号Ａを発信する。照明器具本体２の受光部８で、次の順送り信号Ａを受信すると、点灯装置７は、外側の橙色灯３を消灯、内側２つの白色灯４，５を点灯させた状態Ａ２とする。
さらに順送りボタン３０が１回操作されると、ＣＰＵ１１は、赤外線送信部１６から順送り信号Ａを発信する。照明器具本体２の受光部８で、次の順送り信号Ａを受信すると、点灯装置７は、外側の橙色灯３を点灯、内側２つの白色灯４，５を消灯させた状態Ａ３とする。
続いて、順送りボタン３０が１回操作されると、ＣＰＵ１１は、赤外線送信部１６から順送り信号Ａを発信する。照明器具本体２の受光部８で、次の順送り信号Ａを受信すると、点灯装置７は、橙色灯３、白色灯４，５を消灯させ、常夜灯６を点灯させた状態Ａ４とする。
次に、順送りボタン３０が１回操作されると、ＣＰＵ１１は、赤外線送信部１６から順送り信号Ａを発信する。照明器具本体２の受光部８で、次の順送り信号Ａを受信すると、点灯装置７は、橙色灯３、白色灯４，５および常夜灯６をすべて消灯させた状態Ａ５とする。
以降、順送りボタン３０が操作されると、リモコン１から順送り信号Ａが発信されるので、点灯装置７は、状態Ａ１〜Ａ５の照明状態を繰り返すようになる。
【００２０】
また、外側調光ボタン３１が利用者によって１回操作されると、ＣＰＵ１１は、赤外線送信部１６から通常信号（赤外線の外側調光信号Ｂ）を発信する。照明器具本体２の受光部８で、外側調光信号Ｂを受信すると、点灯装置７は、橙色灯３のみを全点灯させた状態Ｂ１とする。
続いて、外側調光ボタン３１が１回操作されると、ＣＰＵ１１は、赤外線送信部１６から外側調光信号Ｂを発信する。照明器具本体２の受光部８で、次の外側調光信号Ｂを受信すると、点灯装置７は、橙色灯３のみを調光（減光）させた状態Ｂ２とする。
さらに、外側調光ボタン３１が１回操作されると、ＣＰＵ１１は、赤外線送信部１６から外側調光信号Ｂを発信する。照明器具本体２の受光部８で、次の外側調光信号Ｂを受信すると、点灯装置７は、橙色灯３のみを消灯させた状態Ｂ３とする。
以降、外側調光ボタン３１が操作されると、リモコン１から外側調光信号Ｂ点灯が発信されるので、点灯装置７は、状態Ｂ１〜Ｂ３の照明状態を繰り返すようになる。
【００２１】
内側調光ボタン３２が利用者によって１回操作されると、ＣＰＵ１１は、赤外線送信部１６から通常信号（赤外線の内側調光信号Ｃ）を発信する。照明器具本体２の受光部８で、内側調光信号Ｃを受信すると、点灯装置７は、白色灯４，５のみを全点灯させた状態Ｃ１とする。
続いて、内側調光ボタン３２が１回操作されると、ＣＰＵ１１は、赤外線送信部１６から内側調光信号Ｃを発信する。照明器具本体２の受光部８で、次の内側調光信号Ｃを受信すると、点灯装置７は、白色灯４，５のみを調光（減光）させた状態Ｃ２とする。
さらに、内側調光ボタン３２が１回操作されると、ＣＰＵ１１は、赤外線送信部１６から内側調光信号Ｃを発信する。照明器具本体２の受光部８で、次の内側調光信号Ｃを受信すると、点灯装置７は、白色灯４，５のみを消灯させた状態Ｃ３とする。
以降、内側調光ボタン３２が操作されると、リモコン１から内側調光信号Ｃが発信されるので、点灯装置７は、状態Ｃ１〜Ｃ３の照明状態を繰り返すようになる。
【００２２】
全消灯ボタン３３が利用者によって操作されると、ＣＰＵ１１は、赤外線送信部１６から通常信号（赤外線の全消灯信号Ｄ）を発信する。照明器具本体２の受光部８で、全消灯信号Ｄを受信すると、点灯装置７は、橙色灯３、白色灯４，５および常夜灯６をすべて消灯させた状態Ｄ１とする。
【００２３】
一方、タイマ設定操作（予約ボタン２４，２５が操作）されると（図５のＳ１０１の予約ボタン操作あり）、ＣＰＵ１１は、予約操作と判定して（Ｓ１０４）、表示部１４の対象箇所を点滅させ、点灯モードの設定を促す。
【００２４】
利用者が例えば予約１ボタン２４を押した場合、表示部１４の「予約１」、「午後」、「全光」、「時刻」などのセグメントが点滅する。
ここで、利用者が順送りボタン３０を操作すると、「全光」の点滅が再度「全光」の点滅になる。また、外側調光ボタン３１を操作すると、「全光」の点滅が「外側調光」の点滅に変わる。内側調光ボタン３２を操作すると、「外側調光」の点滅が「内側調光」の点滅に変わる。消灯ボタン３３を操作すると、「内側調光」の点滅が「消灯」の点滅に変わる。この例では、外側調光ボタン３１にて「外側調光」を設定したものとする。このようにして点灯モードが設定される（Ｓ１０５）。
続いて、時ボタン２１、分ボタン２２、毎日／１回ボタン２３等を操作すると、ＣＰＵ１１は、その操作に応じて表示部１４の時刻表示および「午前」、「午後」の表示、「毎日」、「１回」の表示を変える。これにより、予約動作する時刻が設定される（Ｓ１０６）。この例では、予約１として、「毎日」、「午前」、「０７：００」にタイマ予約を設定したものとする。
このように表示部１４の点滅部分に対して該当ボタンを操作して予約操作を行い、最後に登録ボタン２６を押すことで、表示部の点滅が止まり、予約内容がメモリ１２に登録され、タイマ設定が完了する（Ｓ１０７）。
以降、タイマ予約設定が有効になった状態となり、表示部１４に「タイマ」の表示が行われる。
【００２５】
図４に示すように、ＣＰＵ１１は、メモリ１２にタイマ予約情報が登録されている場合には、タイマ予約設定時のボタン操作に応じた赤外線信号ａ〜ｄを発信するようになる。つまり予約時に順送りボタン３０が操作されたときには赤外線の全光信号ａを発信し、外側調光ボタン３１が操作されたときには赤外線の外側調光信号ｂを発信し、内側調光ボタン３２が操作されたときには赤外線の内側調光信号ｃを発信し、消灯ボタン３３が操作されたときには赤外線の消灯信号ｄを発信する。
【００２６】
したがって、ＣＰＵ１１は、時計部１３によって計時されている時刻とメモリ１２のタイマ予約時刻（設定時刻）とをチェックし、互いの時刻が一致すると、タイマ設定時の信号（この例では外側調光信号ｂ）を赤外線送信部１６より発信する（Ｓ１０８）。
この外側調光信号ｂを受光部８で受信した点灯装置７は、橙色灯３のみを全点灯させた状態Ｂ１で照明を点灯させる。
【００２７】
このようにこの実施形態のリモコン式照明器具によれば、リモコン１の各ボタンが操作されたときに、ＣＰＵ１１はタイマ予約設定の有無をチェックし、タイマ予約設定の有無に応じて異なる照明動作を行わせるための赤外線信号を赤外線送信部１６から発信させるので、通常操作時とタイマ予約設定時とで同じボタンを操作しても、それぞれ異なる信号が送信されるようになり、照明器具本体２では、受光部８で受信された信号に応じた点消灯動作を点灯装置７が行うことで、タイマ予約で照明器具を動作させる際に、利用者が意図した照明状態で照明器具を点消灯させることができる。
この結果、リモコン１のボタン数を増やすことなく、通常使用時とタイマ予約設定時に利用者の意思通りの照明を行えるようになり、かつリモコン１が大型化することもない。
【００２８】
次に、図６〜図１０を参照して他の実施形態のリモコン式照明器具について説明する。図６は他の実施形態のリモコン式照明器具のリモコンの外観図である。なお、リモコン１ａにおいて、上記実施形態と同じ構成（ボタン等）については同一の符号を付しその説明は省略する。
上記実施形態の照明器具本体２が２色発光（橙色灯と白色灯）のものであったのに対してこの実施形態のリモコン式照明器具の器具本体は、１つの種類の蛍光灯、例えば白色灯だけを１つあるいは２つ取り付けたものであり、調光機能はあるものの演色機能はない廉価のものである。
【００２９】
したがって、図６に示すように、リモコン１ａは、全光ボタン４０、明ボタン４１、暗ボタン４２、消灯ボタン４３、おはようボタン４４等を有している。
全光ボタン４０は、一回操作すると、全ての白色灯を点灯させるためのものである。明ボタン４１は、一回操作すると、明るさを一段階明るくするためのものである。暗ボタン４２は、一回操作すると、明るさを一段階暗くするためのものである。消灯ボタン４３は、一回操作すると、全ての白色灯を消灯させるためのものである。おはようボタン４４は、タイマ予約で照明を点灯させるときに使用するボタンであり、このおはようボタン４４にてタイマ予約した時刻の数分前になると、一定の時間間隔で照明を段階的に明るくしてゆく機能が働く。
【００３０】
このリモコン式照明器具の場合、照明ＯＦＦの状態（消灯状態）で、リモコン１ａの全光ボタン４０が１回操作されると、ＣＰＵ１１は、全ての照明を点灯させるための全光専用の信号を送信する。この全光専用の信号を受光部８が受信すると、点灯装置７は、図７に示すように、段階的あるいは徐々に照明を明るくするよう白色灯４，５の点灯制御を行い（フェードイン制御）、ほぼ５秒程度で１００％点灯させた状態（全灯状態）とする。
また、この全灯状態で、リモコン１ａの消灯ボタン４３が１回操作されると、ＣＰＵ１１は、消灯専用の信号を送信する。この消灯専用の信号を受光部８が受信すると、点灯装置７は、図７に示すように、段階的あるいは徐々に照明を暗くするよう白色灯４，５の点灯制御を行い（フェードアウト制御）、ほぼ５秒程度で照明が０％の状態（消灯状態）とする。
消灯状態で、リモコン１ａの明ボタン４１が１回操作されると、ＣＰＵ１１は、照明を一段階明るくするための専用信号を送信する。この専用信号を受光部８が受信すると、点灯装置７は、図８に示すように、照明を１段階明るくするよう白色灯４，５の点灯制御を行う。１段階とは全灯状態を１００％としたときの約５％程度である。したがって、リモコン１ａの明ボタン４１が連続的に操作されると、その信号が受信部８に連続的に受信されるので、点灯装置７は、０％の消灯状態からほぼ５秒程度で１００％の全灯状態にする。なお、ユーザが所望の明るさとなったときに、リモコン１ａの明ボタン４１の操作を止めれば、その明るさで点灯状態が維持されるようになる。
全灯状態で、リモコン１ａの暗ボタン４２が１回操作されると、ＣＰＵ１１は、照明を一段階暗くするための専用信号を送信する。この専用信号を受光部８が受信すると、点灯装置７は、図８に示すように、照明を１段階暗くするよう白色灯４，５の点灯制御を行う。１段階とは全灯状態を１００％としたときの約５％程度である。したがって、リモコン１ａの暗ボタン４２が連続的に操作されると、その信号が受信部８に連続的に受信されるので、点灯装置７は、１００％の全灯状態からほぼ５秒程度で約５％程度の微点灯状態にする。微点灯状態とは、消灯状態の１段階前の最小出力の状態をいう。つまり、ユーザが暗ボタン４２を押し続けても消灯状態にはならないため、ユーザとしては、その状態に至るまでに、一々暗ボタン４２を押した回数を数えることをせずに済み、ユーザの使い勝手が向上する。また、白色灯４あるいは白色灯５を微点灯状態で点灯させることで、常夜灯６を不要にする、ということもできる。
【００３１】
リモコン１ａの６０分ボタン３５が操作されると、ＣＰＵ１１は、６０分後に消灯するための専用信号を送信する。この専用信号を受光部８が受信すると、点灯装置７は、メモリ１２に６０分後のオフタイマ設定を行い、カウントダウンを開始する。そして、タイムアップの５分前になると、点灯装置７は、段階的な消灯動作を行う。
段階的な消灯動作とは、図９に示すように、動作開始時点を１００％の点灯状態とすると、その明るさから、照明を所定時間間隔で１段階（約５％程度）づつ暗くするよう白色灯４および／または白色灯５の点灯制御を行う動作であり、５分後に消灯状態となる。所定時間間隔とは約１５秒等である。
【００３２】
なお、リモコン１ａの３０分ボタン３４についても６０分ボタン３５と同様にタイムアップの５分前になると、点灯装置７は、段階的な消灯動作を行う。
なお、上記段階的な消灯動作は一例であり、例えば２分３０秒後に消灯状態となるよう所定時間間隔を約７．５秒にしても良く、また、１５秒間隔で２段階（約１０％程度）づつ照明を落とすようにしても良い。
【００３３】
リモコン１ａのおはようボタン４４によりタイマ予約設定操作が行われると、ＣＰＵ１１は、おはよう動作のための専用信号を送信する。この専用信号を受光部８が受信すると、点灯装置７は、メモリ１２におはようタイマ予約設定を行い、時計部１３のチェックを開始する。そして、おはようタイマ予約設定の時刻の１０分前になると、点灯装置７は、段階的な点灯動作を行う。
段階的な点灯動作とは、図１０に示すように、約３０秒に５％の割合で明るさを一定間隔で増加し、おはようタイマ設定時刻に１００％の全灯状態となるように照明制御する動作である。
なお、リモコン１ａではなく壁スイッチ（図示せず）で、照明器具本体２の照明状態を切り替える際には、壁スイッチが一回押される毎に、点灯装置７は、全光（１００％）点灯→調光（６０％）点灯→最小出力点灯→消灯という照明状態を繰り返す制御を行う。
【００３４】
このようにこの実施形態のリモコン式照明器具によれば、全光ボタン４０、明ボタン４１、暗ボタン４２、消灯ボタン４３、おはようボタン４４等を設けたことで、それぞれのボタンが押されたときに通常信号とは異なる専用信号を発信することで、徐々に消灯あるいは徐々に点灯などと、点消灯までの時間をより緩やかにできる。また、明るさ等を等間隔で加減することで、点灯あるいは消灯までのカウントダウンをユーザが容易に行えるようになる。さらに、点灯状態から暗ボタン４２で照明を段階的に暗くしてゆく場合、どの時点で消灯するか解らないが、暗ボタン４２を連続的に押した場合でも、最小出力（消灯の１段階前のほぼ５％程度の照明状態）で照明の点灯状態が維持されるので、まったく見えない状態にならずに済み、ユーザの使い勝手を向上することができる。
【００３５】
【発明の効果】
以上説明したように本発明によれば、遠隔制御装置の操作系を追加することなく通常使用時とタイマ予約設定時とで別個の照明動作を照明器具本体に行わせる遠隔制御装置、遠隔制御式照明器具を提供することができる。
【図面の簡単な説明】
【図１】本発明の一つの実施形態のリモコン式照明器具の構成を示す図。
【図２】図１のリモコン式照明器具のリモコンを示す外観図。
【図３】図２のリモコンの構成を示すブロック図。
【図４】通常操作時とタイマ予約設定時との照明状態を示す図。
【図５】図２のリモコンの動作を示すフローチャート。
【図６】他の実施形態のリモコン式照明器具のリモコンの外観図。
【図７】全光ボタン操作時と消灯ボタン操作時の照明変化を示す図。
【図８】明ボタン操作時と暗ボタン操作時の照明変化を示す図。
【図９】３０分ボタン操作時と６０分ボタン操作時の照明変化を示す図。
【図１０】おはようボタン操作時の照明変化を示す図。
【符号の説明】
１，１ａ…リモコン、２…器具本体、３…橙色灯、４，５…白色灯、６…常夜灯、７…点灯装置、８…受光部、１１…ＣＰＵ、１２…メモリ、１３…時計部、１４…表示部、１６…赤外線送信部、１６ａ…ＬＥＤ、１７…操作部、３０…順送りボタン、３１…外側調光ボタン、３２…内側調光ボタン、３３…全消灯ボタン、３４…３０分ボタン、３５…６０分ボタン。
【図１】
2004265723.tif 000003
【図２】
2004265723.tif 000004
【図３】
2004265723.tif 000005
【図４】
2004265723.tif 000006
【図５】
2004265723.tif 000007
【図６】
2004265723.tif 000008
【図７】
2004265723.tif 000009
【図８】
2004265723.tif 000010
【図９】
2004265723.tif 000011
【図１０】
2004265723.tif 000012